(57)【要約】【課題】通話相手ごとに音声レベルを変更でき、高品質な音声通信ができるＩＰ電話システムにおける音声レベル調整方法を提供する。【解決手段】  通信相手ごとに音声レベルの情報設定し、ＩＰ電話に登録しておく。ＩＰ電話ＡとＢが通話可能な状態になったとき、ＩＰ電話ＡよりＩＰ電話Ｂに対し音声レベルを通知する。ＩＰ電話Ｂは受信した音声レベル情報を基に音声レベル制御部で変更された音声データをＩＰ電話Ａに対し送信することで、ＩＰ電話間の音声レベル調整を個別に実行することが可能となる。【選択図】  図１
2008263462.tif 000002
【特許請求の範囲】
【請求項１】
ＩＰネットワークを介して接続された第１のＩＰ電話と第２のＩＰ電話間の音声レベル調整方法であって、
前記第1のＩＰ電話に、通信相手に対し予め相手より受信したい音声レベルを登録しておき、音声呼が第２のＩＰ電話と接続されたとき、第1のＩＰ電話は、前記音声レベルを相手先通知し、第２のＩＰ電話は受信した音声レベルを基に送信音声レベルを変更し音声データ送出することを特徴とするＩＰ電話間の音声調整方法。
【発明の詳細な説明】
【技術分野】
【０００１】
本発明はＩＰ電話システムに関し、特にＩＰ電話の音声レベル調整に関する。
【背景技術】
【０００２】
従来のＰＢＸシステムでは音声レベルの調整はＰＢＸにて実施していた。特にＰＢＸをまたがる音声レベルの調整はＰＢＸシステム全体の音声レベル設計が必要であった。
【０００３】
【特許文献１】特開平１１−３３１８９３号公報
【発明の開示】
【発明が解決しようとする課題】
【０００４】
従来のＰＢＸを利用した音声データはＰＢＸを介し行われていた。このため音声レベルの調整はＰＢＸにて実施していた。しかしＩＰセントレックスシステム等のＩＰ電話システムでは音声データは端末―端末（Ｐ２Ｐ）で交換されるためＰＢＸで音声レベルの調整することができないという問題があった。
【０００５】
また従来のＰＢＸシステムでは特にＰＢＸ間の音声レベルは通信相手ごとに変更することができないという問題もあった。
【０００６】
本発明は上記課題を解決するためになされたもので、端末間で通信相手ごとに音声レベル調整する方法を提供することを目的とする。
【課題を解決するための手段】
【０００７】
上記目的を達成するために、本発明では通知する音声レベルを決めておき、この音声レベルはお互いに共通の情報とする。ＩＰ電話端末では通信相手情報と共に音声レベルを登録するデータを持つ。ＩＰ電話ＡとＢが通話可能な状態になったとき、ＩＰ電話ＡよりＩＰ電話Ｂに対し通信相手情報と共に登録された音声レベルを通知する。ＩＰ電話Ｂは受信した音声レベル情報を基に音声レベル制御部で変更された音声データをＩＰ電話Ａに対し送信することで、ＩＰ電話間の音声レベル調整が実行することができる。
【発明の効果】
【０００８】
本発明はＩＰ電話システムにおいて、ＩＰ電話間で通話相手ごとに音声レベル設定が可能なため、通話相手の音質・音量の特性に合わせ事前に受信音声レベルを調整でき、音声品質の向上が期待できるという利点がある。
【発明を実施するための最良の形態】
【０００９】
以下、本発明の実施の形態について図面により詳細に説明する。
図１は本発明を適用したＩＰ電話システムの実施の形態のブロック図を示したものである。
図１において１０はＩＰ電話Ａ（音声レベル送信側）、２０はＩＰ電話Ｂ（音声レベル受信側）である。
ＩＰ電話１０、２０は呼制御部１１，２１、音声レベル情報１２，２２、音声レベル送受信部１３，２３、音声レベル制御部１４，２４及び音声データ送受信部１５，２５を有している。呼制御部１１、２１はＩＰ電話との通信するために使用される。音声レベル情報１２，２２は通信相手ごとの音声レベルを登録、参照に使用される。音声レベル送受信部１３，２３は通信相手に音声レベル情報、音声レベル変更ＯＫ，ＮＧを通知するのに使用される。音声レベル制御部１４、２４は音声レベルを変更した音声データを生成するために使用される。音声データ送受信部１５，２５は音声データの送受信に使用される。
【００１０】
次にＩＰ電話システムによる音声レベル処理を図２，３のシーケンスに従って説明する。
図２はＩＰ電話ＡとＢ間で呼制御が完了し、音声レベルの変更が必要となった時、ＩＰ電話Ａより音声レベルをＩＰ電話Ｂに通知し、音声レベルが変更可能な場合を示したものである。
ＩＰ電話ＡとＢの間で呼制御が完了し通話通信が可能な状態１００になると、ＩＰ電話Ａの音声レベル送受信部１３は通信相手情報から音声レベル情報１２を参照し、ＩＰ電話Ｂに音声レベル通知１０１を送信する、またＩＰ電話Ａでは受信変更する場合には上記方式を利用し再度音声レベルを通知することが可能である。
ＩＰ電話Ｂは音声レベル通知１０１を音声レベル送受信部２３で受信すると通知された音声レベルで音声データを送信可能が判定し、送信可能であれば音声レベル変更ＯＫ１０２を送信し、音声レベル制御部２４に音声レベルを通知する。更に音声レベル制御部２４は音声データを通知された音声レベルを生成し音声データ送出部２５より音声データを送信する。
ＩＰ電話Ａは音声レベル更新ＯＫ１０２を音声レベル送受信部１３で受信すると、音声レベル情報１２に先に送信した音声レベルを登録する。
【００１１】
図３はＩＰ電話ＡとＢ間で呼制御が完了し、音声レベルの変更が必要となった時、ＩＰ電話Ａより音声レベルをＩＰ電話Ｂに通知し、音声レベルの変更不可能な場合を示したものである。
ＩＰ電話ＡとＢの間で呼制御が完了し通話通信が可能な状態２００になると、ＩＰ電話Ａの音声レベル送受信部１３は通信相手情報から音声レベル情報１２を参照し、ＩＰ電話Ｂに音声レベル通知２０１を送信する、またＩＰ電話Ａでは受信変更する場合には上記方式を利用し再度音声レベルを通知することが可能である。
ＩＰ電話Ｂは音声レベル通知２０１を音声レベル送受信部２３で受信すると通知された音声レベルで音声データを送信可能が判定し、送信不可能であれば音声レベル変更ＮＧ２０２を送信する。
ＩＰ電話Ａは音声レベル更新ＮＧ２０２を音声レベル送受信部１３で受信すると、音声レベル制御部１４に音声レベル情報を通知する。音声レベル制御部１４は音声データ送受信部１５で受信した音声データを音声レベルに従い音声データを生成する。
【００１２】
本発明のＩＰ電話システムを利用することにより通信相手の音質・音量にあわせ音声レベルを個別に設定する可能となる、従来のＰＢＸに行っていた音声レベル設計が必要なくなり、導入作業の効率化が図れることになる、また利用者の聴覚合わせた音声レベルに設定することで音声品質の向上が期待できる。
【図面の簡単な説明】
【００１３】
【図１】本発明の実施の形態のＩＰ電話の構成を示す図である。
【図２】音声レベル変更可能な場合のシーケンスである。
【図３】音声レベル変更不可能な場合のシーケンスである。
【符号の説明】
【００１４】
１０、２０…ＩＰ電話
１１、２１…呼制御部
１２、２２…音声レベル情報
１３、２３…音声レベル送受信部
１４、２４…音声レベル制御部
１５、２５…音声データ送受信部
１００、２００…呼制御により通話状態を示す。
１０１、２０１…音声レベル通知
１０２、２０２…音声レベル変更ＯＫ／ＮＧ通知
【図１】
2008263462.tif 000003
【図２】
2008263462.tif 000004
【図３】
2008263462.tif 000005